(57)【要約】【目的】  照明効果にすぐれると共に可搬性のあるデイスプレイ照明装置を提供する。【構成】  展示物３を載置又は固定する表面２ａを有する展示台２と、展示台から離れて展示台の表面に対向して配設され展示物を照明する光源４と、光源を支持する回転板６と、回転板の回転駆動手段と、回転板を回転自在に支持する光源ヘッド５と、展示台と光源ヘッドを結合している結合部材１４と、光源への給電手段と、を有するデイスプレイ照明装置である。光源が回転移動して展示物を照明するので展示の効果が大きい。光源と展示台を一体的としてあるので移動が容易である。【選択図】  図１
2011181476.tif 000002
【特許請求の範囲】
【請求項１】
展示物を載置又は固定する表面を有する展示台と、展示台から離れて展示台の表面に対向して配設され展示物を照明する光源と、光源を支持する回転板と、回転板の回転駆動手段と、回転板を回転自在に支持する光源ヘッドと、展示台と光源ヘッドを結合している結合部材と、光源への給電手段と、を有することを特徴とするデイスプレイ照明装置。
【発明の詳細な説明】
【技術分野】
【０００１】
本発明は展示物を支持すると共に展示物を照明するデイスプレイ照明装置に関する。
【背景技術】
【０００２】
展示品、例えば、宝石、時計、めがね等を照明して顧客に美麗さ、デザインの良さ等を訴えることが行われている。
【０００３】
特許文献１（実登３１１７６５１）では台座に下端が結合された支柱の上端にケース付のボデイを結合し、ケース下面に発光素子を設け、台座から離れた位置に設けた被照体を照明することが開示されている。
【０００４】
特許文献２（特開平４−２８２１０７）には物を置く台の上面に透明な板を設け、この板に凸レンズを設け、物を置く台の中に回転板を設け、回転板の上に配列した光源で凸レンズ上に置く展示物を照明することが開示されている。
【０００５】
特許文献3（実登３１０２７６７）には直方体のガラスケースの上面に面状発光体を設け、ガラスケースの中の展示物を照明し、柔かい光で展示物を照明できるということが開示されている。
【先行技術文献】
【特許文献】
【０００６】
特許文献1    実登３１１７６５１
特許文献２    特開平４−２８２１０７
特許文献３    実登３１０２７６７
【非特許文献】
【０００７】
なし
【発明の概要】
【発明が解決しようとする課題】
【０００８】
特許文献1に係る考案によると照明効果が単純平凡である。また、展示替えを行う場合展示物とは別に電気スタンドを移動し、再び、展示物と電気スタンドの関係位置を復元しなければならない。
【０００９】
特許文献２に係る発明では展示物は下方から光を照射される一方視る者は斜め上から見るので、展示物の陰の部分を見ることになり、展示物の形状等を把握し難い。
【００１０】
特許文献３に係る考案によれば例えば、宝石のように輝く物に対する光の効果は見込めない。
【００１１】
本発明は展示物の移動と照明装置の移動が同時に行えると共に、展示物がよく見え動的な照明効果が大きなデイスプレイ照明装置を提供することを目的とする。
【課題を解決するための手段】
【００１２】
本発明は展示物を載置又は固定する表面を有する展示台と、展示台から離れて展示台の表面に対向して配設され展示物を照明する光源と、光源を支持する回転板と、回転板の回転駆動手段と、回転板を回転自在に支持する光源ヘッドと、展示台と光源ヘッドを結合している結合部材と、光源への給電手段と、を有することを特徴とするデイスプレイ照明装置である。
【発明の効果】
【００１３】
宝飾物やカットガラスなどの展示物に光を照射すると見る角度により光が反射して輝くが、１ヶ所にとどまって見ているだけでは瞬くようには輝かない。
【００１４】
本発明は光源を１つないしは複数個配置させた円盤を回転させ、あらゆる角度から光を照射することにより、見る者が一ヶ所にとどまっていても、展示物を瞬くように輝かせるものである。更に展示台の光源に対向する面を鏡張りにすると、その効果が増す。
【図面の簡単な説明】
【００１５】
【図１】本発明の実施例の斜視図である。
【図２】図１の縦断面図である。
【図３】図１の平面図である。
【図４】他の実施例の斜視図である。
【図５】他の実施例の斜視図である。
【実施例】
【００１６】
以下、本発明の実施例を図面に基いて説明する。
【００１７】
（全体構成）
図１はこの実施例の全体を示す斜視図である。図１は展示台２の表面２ａに展示物３が載置又は固定され、裏面２ｂが展示台２を載置又は取り付ける部材（不図示）に接する展示台２と、展示台２から離れて展示台２の表面２ａに対向して配設され展示物３を照明する光源４と、光源４及び光源４を展示台２の表面２ａに対向する面６ａに配列した円盤６と、円盤６を回転させる後述の回転駆動手段を備え円盤６を回転自在に支持する光源ヘッド５と、展示台２と光源ヘッド５を結合している結合部材として支柱１４とを有するデイスプレイ照明装置１である。支柱１４によって展示台２と光源４との間に間隔をおいて、光源４を含めて光源ヘッド５は展示台２に支持されている。
【００１８】
（展示台）
展示台２は方形平板状で四つの角近くに光源４に対向する平面の表面２ａとその裏面２ｂを有する。裏面２ｂに載置用のゴム脚２ｃを固着してある。本例では薄いゴムパッドである。表面２ａを鏡張りにしてもよい。展示台２は合成樹脂、木製、金属板金製の何れかである。展示台２の平面形状については円板、台形、楕円等限定はない。
【００１９】
（光源、回転板、回転駆動手段、光源ヘッド）
光源４は限定されないが、発光ダイオード、クセノン電球、ハロゲン電球、白熱灯等である。光源４は展示台２の表面２ａに対向する面６ａに展示台２の表面２ａを照射するように設ける。光源４は１つないし、複数個を回転する回転板である円盤６上に配置してある。光源４が１つの場合は円盤６の回転中心以外に設ける。なお、円盤６は円盤に限る訳ではなく多角形の板状の回転板でもよいが多角形の回転盤の周囲に沿って設ける遮光部５ａを回転板に近づけるためにも回転板は円盤６とし、遮光部５ａも円盤６の周縁に沿う円筒状とするのがよい。遮光部５ａにより円盤６から放射線方向への光源４の投光を遮断する。また、円盤６は平板であることで作成容易であるが、中心が凹となる凹形、中心が凸となる凸形、具体的には円錐形、球の一部をなす形状とすることもできる。
【００２０】
図１に図示の実施例は光源４は発光ダイオードである。
【００２１】
（回転板（円盤））
図２は図１の縦断面図を示す。
円盤６は光源ヘッド５の蓋部材５ｃの上下方向の穴５ｂに圧入固定された軸７に回転自在に支持されている。軸７は軸部７ａと軸部７ａから拡径したつば部７ｂを有する。軸部７ａには円盤６の中心穴６ｂが丁度嵌合し、つば部７ｂには拡径中心穴６ｃが緩く嵌合している。円盤６の外周６ｄにはスリップリング６ｅが囲繞して設けてある。スリップリング６ｅと光源４間には円盤６内において図示されない配線がされている。円盤６の外周６ｄの下部には巻き掛け伝動部材を巻き掛ける円周方向の溝６ｆが設けてある。本例では軸７は展示台２の表面２ａに対して直交している。軸７は展示台２の表面２ａに対して傾けてもよい。
【００２２】
（回転駆動手段）
光源ヘッド５内には軸７に平行するモータ軸を有するモータ８が軸７とモータ軸の軸間距離を調節可能に蓋部材５ｃに固定されている。モータ８のモータ軸に固定された溝付プーリ９と円盤６の溝６ｆとの間には巻き掛け伝動部材として丸ベルト１１が巻き掛けてある。
【００２３】
プーリ９付のモータ８と、円盤６の溝６ｆと、丸ベルト１１により回転駆動手段を構成している。モータ８は超音波モータ、減速機付モータ、ＤＣモータ等で出力回転速度の遅いもの、例えば毎分１００回転程度のものが選択される。プーリ９と溝６ｆと丸ベルト１１でなる巻掛伝動装置の減速比は１：１０程度である。この場合円盤６の回転速度は毎分１０回転程度である。
【００２４】
円盤６を駆動する駆動手段は巻掛伝動装置に限らず歯車装置によることもできる。
【００２５】
（光源への給電部材）
図２に示すように展示台２を中空にして内部に発光ダイオードである光源４の点灯回路及びモータ８の制御回路を納めた制御箱１２が設けてある。制御箱１２は裏蓋２ｄに固体されている。制御箱１２は図示され商用電源からの配線がされている。１２ａは制御箱１２に設けた商用電源からの給電をオン・オフする押しボタンスイッチである。制御箱１２中の点灯回路からはスリップリング６ｅに弾力で圧せられた刷子１３へ図示されないが中空の結合部材である支柱１４中を通じて配線されている。制御箱１２中の制御回路からはモータ８へ図示されないが支柱１４中を通じて配線されている。
【００２６】
モータ８の制御回路としては通常モータ８を一定回転速度で回転する、１回転を１周期として変則回転させる、１回転中に複数回変速する、複数回の一定回転速度の間に変速回転速度の期間を設ける等を行う、これらは回転速度を連続して次第に変化させる制御である。また、モータ８を断続して回転停止をくり返すようにしてもよい。
【００２７】
（躯体）
図３に示すように光源ヘッド５は、円盤６を囲繞する円筒形部分５ｅから断面が台形の支柱１４の両側に向って直線形帯状部分５ｆですぼんでいる。
【００２８】
展示台２と光源ヘッド５と支柱１４で一体的に躯体を構成している。光源ヘッド５には蓋部材５ｃが嵌め込み部５ｄに丁度嵌合している。ただし、支柱１４上部と光源ヘッド５を傾動可能に固定し、軸７を傾けるようにしてもよい。
【００２９】
展示台２の裏面は取り外し可能に展示台２に嵌合固定した裏蓋２ｄとなっている。
【００３０】
（作用）
展示台２の表面２ａに展示物３を載置又は固定する。
【００３１】
押ボタン１２ａを押して入力すると内部の、点灯回路、制御回路は夫々付勢される。点灯回路からの給電は刷子１３を介してスリップリング６ｅに伝えられスリップリング６ｅから図示されない配線を通じて光源４に給電され点灯される。同時に制御回路からの給電でモータ８は付勢されてプーリ９は回転し、丸ベルト１１を介して円盤６は軸７を中心に回転する。
【００３２】
これによって展示台２上の展示物３（図１参照）は回転移動する光源４から光を照射される。展示物３が宝飾物やカットガラスとするとあらゆる角度から光源４は連続して宝飾品やカットガラスに対して位置を変えて照射することにより、見る者が一ヶ所にとどまっていても、展示物を瞬くように輝かせるものである。見る者は展示物の斜め上から見るのに対して光源４からの光は上方から展示物３を照射するので展示物３がよく見える。遮光部５ａにより、光源４の光は展示物３を視る者の目に入らないので展示物３を見易い。
【００３３】
展示替の場合は展示物と共にこのデイスプレイ照明装置を移動すれば、関係位置が変わらないので展示替が容易である。
【００３４】
（他の実施例）
図４は他の実施例を示し、手前の斜め下方から見る図である。
【００３５】
全体は中空直方体のデイスプレイ照明装置１であって展示台２を除き透明なガラス板である。展示台２は前の実施例と同様である。何れか１つのガラス板はこの直方体の稜線をヒンジの中心として開閉可能となっている。円盤６を支持している光源ヘッド５は光源４側を下にしてガラスの天板２１上に載置した状態で接着剤により固定されている。制御箱１２は展示台２中に先の実施例と同様に収納されている。制御箱１２（図４には図示されない）中の部材と光源ヘッド５内部材を結ぶ配線は上下方向の稜線１５に沿って設けた図示されない支柱に沿って設けてある。この支柱と上下方向のガラス板が前実施例の支柱１４に相当する。この実施例では光源ヘッド５と展示台２の結合部材は上述の透明なガラス板と稜線１５に沿って設けた支柱となる。この実施例によればショーケースを用いることなく高額商品を展示でき、且つ真近で展示物を見ることができる。
【００３６】
図５は更に他の実施例を示す。この実施例は照明装置のないガラスショーケースに適用可能なデイスプレイ照明装置１を示している。
【００３７】
このデイスプレイ照明装置１は符号１６で示すガラスショーケースを有する。ガラスショーケース１６は平面図形が方形の展示台２を底板とした中空直方体の総ガラス製のケースである。ガラスショーケース１６の天板２１上に光源４を下にして光源ヘッド５が載置されている。光源ヘッド５に一体的に結合されている支柱１４はガラスショーケース１６の側板の１７の１つに接して上下方向に配設されている。下端部は展示台２に接している。光源ヘッド５の直径と直線状帯状部分５ｆの対向幅と支柱１４の幅部分はほぼ同寸法である。支柱１４のガラスショーケース１６の側板１７に接する支柱１４の面１４ａには展示物に関する説明等を示すことができる。展示台２に対して支柱１４は取り外し可能に固定されている。この固定はねじ止め、マグネット吸着等でもよく、展示台２に固定して設けた板ばねで支柱１４下端部を挟持するようにしてもよい。ここで、符号１４は支柱として述べたが、支柱の機能はなくてもよい。即ち、支柱１４と展示台２を離しておいて、ガラスショーケース１６と支柱１４付の光源ヘッド５をガラスショーケース１６に接して置くだけでもよい。この場合の光源ヘッド５と展示台２の結合部材はガラスショーケース１６となる。
実施例は展示台２内に制御箱１２を配設したが、制御箱１２は光源ヘッド５、又は支柱１４内に設けてもよい。
【符号の説明】
【００３８】
１…デイスプレイ照明装置    
２…展示台  ２ａ…表面  ２ｂ…裏面  ２ｃ…ゴム脚  ２ｄ…裏蓋
３…展示物
４…光源
５…光源ヘッド  ５ａ…遮光部  ５ｂ…穴  ５ｃ…蓋部材  ５ｄ…嵌めこみ部    ５ｅ…円筒形部分  ５ｆ…直線計帯状部分
６…円盤  ６ａ…面  ６ｂ…中心穴  ６ｃ…中心穴  ６ｄ…外周  ６ｅ…スリップリング  ６ｆ…溝
７…軸  ７ａ…軸部  ７ｂ…つば部
８…モータ
９…溝付プーリ
１１…丸ベルト
１２…制御箱  １２ａ…押しボタンスイッチ
１３…刷子
１４…結合部材  １４ａ…面
１５…稜線
１６…ガラスショーケース
１７…側板
２１…ガラスの天板
【図１】
2011181476.tif 000003
【図２】
2011181476.tif 000004
【図３】
2011181476.tif 000005
【図４】
2011181476.tif 000006
【図５】
2011181476.tif 000007